(57)【要約】【課題】フォーカスリングの回転トルクを安定させ、手動操作時に滑らかさや高級感が得られるレンズ鏡筒を提供する。【解決手段】フォーカスリングは、リング本体４１と、フォーカスリングギア４３と、シリコンオイルが塗布された人工スエード４４等で構成されている。この人工スエード４４は、フォーカスリングギア４３に接着材等で貼り付けられる。このフォーカスリングギア４３は、ネジ４７でリング本体４１に固定され、フォーカスリングが回動操作された時に、リング本体４１と一体となって回転する。人工スエード４４は、カバーバレル１５の内周面と常に当接するようにされており、フォーカスリングが回動操作された時に、人工スエード４４とカバーバレル１５の内周面とが摺接することにより摩擦抵抗が発生して、フォーカスリングの回転トルクが調整される。【選択図】        図３
2004212884.tif 000002
【特許請求の範囲】
【請求項１】
固定筒と、固定筒に回転自在に支持された手動操作環と、レンズを保持するとともに前記手動操作環の回転操作に連動して光軸方向に移動する移動筒とを備えたレンズ鏡筒において、
前記手動操作環に、前記固定筒あるいは前記固定筒に一体に固定された環状部材と摺接するように人工スエードを固着し、前記固定筒あるいは前記環状部材と、前記人工スエードとの間の摩擦により前記手動操作環を回転操作するときの力量を調整したことを特徴とするレンズ鏡筒。
【請求項２】
固定筒と、固定筒に回転自在に支持された手動操作環と、レンズを保持するとともに前記手動操作環の回転操作に連動して光軸方向に移動する移動筒とを備えたレンズ鏡筒において、
前記固定筒あるいは前記固定筒に一体に固定された環状部材に、前記手動操作環と摺接するように人工スエードを固着し、前記手動操作環と前記人工スエードとの間の摩擦により前記手動操作環を回転操作するときの力量を調整したことを特徴とするレンズ鏡筒。
【請求項３】
固定筒に回転自在に支持された手動操作環と、固定筒に回転自在に支持され前記手動操作環の回転操作に連動して回転する駆動筒と、この駆動筒の回転に連動して光軸方向に移動する移動筒と、固定筒に回転自在支持されたモータの駆動により回転して前記駆動筒を回転させるモータ駆動環とを備え、手動操作環及びモータ駆動環の一方を停止させ他方を回転させることによって、前記駆動筒が手動操作環とモータ駆動環とのいずれかにより選択的に回転されるようにしたレンズ鏡筒において、
前記手動操作環に、前記固定筒あるいは前記固定筒に一体に固定された環状部材と摺接するように人工スエードを固着し、前記固定筒あるいは前記環状部材と、前記人工スエードとの間の摩擦に打ち勝って前記手動操作環を回転操作することにより前記駆動環を回転させ、前記モータ駆動環で前記駆動筒を回転させるときには、前記固定筒あるいは前記環状部材と、人工スエードとの間の摩擦により前記手動操作環の回転が禁止されるようにしたことを特徴とするレンズ鏡筒。
【請求項４】
固定筒に回転自在に支持された手動操作環と、固定筒に回転自在に支持され前記手動操作環の回転操作に連動して回転する駆動筒と、この駆動筒の回転に連動して光軸方向に移動する移動筒と、固定筒に回転自在支持されたモータの駆動により回転して前記駆動筒を回転させるモータ駆動環とを備え、手動操作環及びモータ駆動環の一方を停止させ他方を回転させることによって、前記駆動筒が手動操作環とモータ駆動環とのいずれかにより選択的に回転されるようにしたレンズ鏡筒において、
前記固定筒あるいは前記固定筒に一体に固定された環状部材に、前記手動操作環と摺接するように人工スエードを固着し、前記手動操作環と前記人工スエードとの間の摩擦に打ち勝って前記手動操作環を回転操作することにより前記駆動環を回転させ、前記モータ駆動環で前記駆動筒を回転させるときには、前記手動操作環と前記人工スエードとの間の摩擦により前記手動操作環の回転が禁止されるようにしたことを特徴とするレンズ鏡筒。
【請求項５】
前記人工スエードに摩擦力を調節するためのオイルを含浸させたことを特徴とする請求項１ないし請求項４のいずれかに記載のレンズ鏡筒。
【発明の詳細な説明】
【０００１】
【発明の属する技術分野】
本発明は、手動操作により移動筒を光軸方向に移動させることが可能なレンズ鏡筒に関する。
【０００２】
【従来の技術】
従来のレンズ鏡筒では、自動・手動の２つの操作機構を備えて、焦点調整を選択的に行うことが可能なものがある。このようなレンズ鏡筒では、自動焦点調整を行う場合には、自動合焦用のモータの駆動をギア連結等によりレンズ移動手段に伝達している。また、手動焦点調整を行う場合には、フォーカスリング等の手動操作環を回転させて手動焦点操作を行っている。
【０００３】
このようなレンズ鏡筒では、手動操作環の回転負荷が軽すぎると、手動操作環を使って焦点調整を行う際の手動操作に重厚感が得られないため、好ましくない。このため、板バネやゴム等のフリクション材により手動操作環の回転に摩擦抵抗を加えることで、手動操作環の回転操作に適度な負荷を加えることにより良好な操作感を得ることが知られている（例えば、特許文献１参照）。
【０００４】
【特許文献１】
特許２５６１９２１号
【０００５】
【発明が解決しようとする課題】
しかしながら、上述のようなレンズ鏡筒の構成では、板バネやゴム等で手動操作環の回転に対して摩擦抵抗を加えているが、手動操作環の回転時に回転トルクにムラが出るため、手動回転操作に滑らかさや高級感を感じることが難しかった。また、板バネ・ゴム等を使用して摩擦抵抗を加える場合には、量産時に手動操作環の回転トルクを管理することが難しいという問題があった。
【０００６】
本発明は、上記問題点を解決するためのものであり、手動操作環の回転トルクを安定させ、手動操作に滑らかさや高級感があるレンズ鏡筒を提供することを目的とする。
【０００７】
【課題を解決するための手段】
上記問題点を解決するために、本発明のレンズ鏡筒は、固定筒と、固定筒に回転自在に支持された手動操作環と、レンズを保持するとともに手動操作環の回転操作に連動して光軸方向に移動する移動筒とを備えたレンズ鏡筒において、手動操作環に、固定筒あるいは固定筒に一体に固定された環状部材と摺接するように人工スエードを固着し、固定筒あるいは環状部材と、人工スエードとの間の摩擦により手動操作環を回転操作するときの力量を調整したことを特徴とするものである。また、固定筒あるいは固定筒に一体に固定された環状部材に、手動操作環と摺接するように人工スエードを固着し、手動操作環と人工スエードとの間の摩擦により前記手動操作環を回転操作するときの力量を調整しても良い。
【０００８】
本発明のレンズ鏡筒は、固定筒に回転自在に支持された手動操作環と、固定筒に回転自在に支持され前記手動操作環の回転操作に連動して回転する駆動筒と、この駆動筒の回転に連動して光軸方向に移動する移動筒と、固定筒に回転自在支持されたモータの駆動により回転して前記駆動筒を回転させるモータ駆動環とを備え、手動操作環及びモータ駆動環の一方を停止させ他方を回転させることによって、前記駆動筒が手動操作環とモータ駆動環とのいずれかにより選択的に回転されるようにしたレンズ鏡筒であり、手動操作環に、固定筒あるいは固定筒に一体に固定された環状部材と摺接するように人工スエードを固着し、固定筒あるいは環状部材と、人工スエードとの間の摩擦に打ち勝って手動操作環を回転操作することにより駆動環を回転させ、モータ駆動環で駆動筒を回転させるときには、固定筒あるいは環状部材と、人工スエードとの摩擦により手動操作環の回転が禁止されるようにしたことを特徴とするものである。また、固定筒あるいは固定筒に一体に固定された環状部材に、手動操作環と摺接するように人工スエードを固着し、手動操作環と人工スエードとの間の摩擦に打ち勝って手動操作環を回転操作することにより駆動環を回転させ、モータ駆動環で駆動筒を回転させるときには、手動操作環と人工スエードとの間の摩擦により手動操作環の回転が禁止されるようにしても良い。
【０００９】
さらに、前述の人工スエードに摩擦力を調節するためのオイルを含浸させたことを特徴とするものである。
【００１０】
【発明の実施の形態】
図１は、本発明のレンズ鏡筒１０の外観斜視図である。レンズ鏡筒１０は、レンズ１１を保持する移動筒１２と、カメラ本体に固定されて移動筒１２を光軸方向に移動自在に保持する固定筒１３と、手動操作環であるフォーカスリング１４と、固定筒１３の後端を覆うように取り付けられたカバーバレル１５等で構成されている。
【００１１】
このレンズ鏡筒１０は、図１（Ａ）に示す沈胴位置（繰込位置）と、図１（Ｂ）に示す繰出位置との間で移動筒１２が光軸に沿って前後に移動自在にされている。この移動筒１３の光軸方向の移動は、２種類の方法により行われる。第１の方法は、フォーカスリング１４が撮影者により回転操作されることにより行われる。また、第２の方法は、固定筒１３に設けられたレンズ駆動ユニットのモータの駆動により行われる。
【００１２】
次に、レンズ鏡筒１０の構成を図２の分解斜視図にて説明を行う。レンズ鏡筒１０の後端には、固定筒１３が設けられており、この固定筒１３がカメラ本体に固定される。この固定筒１３の背面には、図示せぬレンズ駆動ユニットが設けられている。このレンズ駆動ユニットはモータで駆動され、出力ギア２０が固定筒１３の後端の開口１９から露呈している。この出力ギア２０は、後述するモータ駆動環３０の後方側に設けられたギア３１に噛合しており、モータからの回転駆動力がこのモータ駆動環３０のギア３１に伝えられる。また、この固定筒１３の外周には、移動筒１２を光軸方向にガイドするガイド溝２１が設けられている。
【００１３】
移動筒１２は、レンズ２７を保持する移動筒本体２４と、レンズ１１を保持するレンズホルダ２５とで構成されており、このレンズホルダ２５は、後述するフォーカスリング１４がレンズ鏡筒１０に取り付けられた後に、移動筒本体２４に取り付けられる。この移動筒本体２４の後端の外周には、カムピン２６が設けられており、前述のガイド溝２１と係合する。これにより、移動筒１２は光軸方向の移動がガイドされる。
【００１４】
モータ駆動環３０は、その後方側の内周に形成されたギア３１が、前述したようにレンズ駆動ユニットの出力ギア２０に噛合するように固定筒１３の後方側に取り付けられる。また、このモータ駆動環３０の前面側にはギア３２が形成されている。
【００１５】
カム筒３３には、その外周面にモータ駆動環３０の前面側のギア３２と噛合する遊星ギア３４が自転自在に軸支されており、さらにこの外周面には、前述したカムピン２６と係合するカム溝３５が螺旋を描くように形成されている。このカム筒３３は、カム溝３５が前述した移動筒本体２４のカムピン２６と係合し、さらに遊星ギア３４がモータ駆動環３０のギア３２と噛合するように、モータ駆動環３０の前方に配置される。本実施形態においては、このカム筒３３が駆動筒に相当する。
【００１６】
このカム筒３３には、カム筒３３を外側から覆うように指標環３６がネジ等で取り付けられ、カム筒が回転するときには、カム筒と一体となって回転する。この指標環３６の外周面には、指標３７が表示されており、カバーバレル１５の外周に設けられた表示窓３８を介して撮影者に観察される。
【００１７】
カム筒３３の前方には、フォーカスリング１４が配置される。このフォーカスリング１４は、図３に示すように、ゴムカバー４０と、リング本体４１と、背面側にギア４２が形成されたフォーカスリングギア４３と、フリクション材である人工スエード４４とで構成されている。
【００１８】
フォーカスリングギア４３の外周には、図中斜線で示す部分に人工スエード４４が巻き付けられて接着剤等で貼り付けられる。人工スエードとは、超極細繊維で構成される人工皮革であり、この人工スエード４４としては、例えば、エクセーヌ（登録商標）を使用する。この人工スエード４４は、フリクション材であり、カバーバレル１５の内周面と当接する。フォーカスリング１４が回転されると、この人工スエード４４がカバーバレル１５の内周面と摺接して、摩擦により回転抵抗が発生する。この人工スエード４４の摩擦抵抗は、板バネやゴム環を使用した場合に比べて安定しており、回転トルクを一定に保つことができる。
【００１９】
この人工スエード４４の摩擦抵抗により、フォーカスリング１４を回転操作した時に回転トルクが増加するが、この人工スエード４４にはシリコンオイルが塗布されており、さらに摩擦抵抗が大きくなって回転トルクが増加している。人工スエード４４は、超極細繊維で構成されているので液体の保有性が高く、塗布したオイルが高温・低温でも流れ出すことはない。また、シリコンオイルではなく、他のオイルを使用しても良い。
【００２０】
さらに、このフォーカスリング１４の回転抵抗は、カム筒３３の回転抵抗よりも大きく設定されているので、フォーカスリング１４の回転トルクは、カム筒３３の回転トルクよりも大きい。また、人工スエード４４の幅を変更すれば、カバーバレルの内周面との接触面積が増減することにより摩擦係数が変化する。これにより、回転トルクが増減して操作感を変化させることができる。
【００２１】
フォーカスリングギア４３の前方の外周には、ネジ穴４５が形成されており、リング本体４１の後方の外周には、ネジが挿通される挿通穴４６が形成されている。この挿通穴４６にネジ４７が挿通され、ネジ穴４５にてネジ止めされる。これにより、リング本体４１にフォーカスリングギア４３が固定される。
【００２２】
このフォーカスリングギア４３には、ネジ４８により板バネ４９が３箇所に取り付けられている。この板バネ４９はフリクション材であり、上面に設けられた突起部５０が、カバーバレル１５の内周面に常に当接するように付勢されている。これにより、フォーカスリング１４が回動した時に、突起部５０が内周面に摺接して摩擦抵抗を発生させる。この板バネ５０は、フリクション材である人工スエードが劣化したときの防止策として取り付けられる。
【００２３】
次に、上記構成の作用について説明する。図４は、レンズ鏡筒１０の側面断面図である。図４（Ａ）は、移動筒１２の沈胴状態（繰込状態）であり、図４（Ｂ）は、繰出状態を示している。
【００２４】
まず、第１の方法（フォーカスリングによる操作）について説明を行う。フォーカスリング１４が撮影者により回転操作されると、フォーカスリングギア４３のギア４２に、遊星ギア３４が噛合しているので、遊星ギア３４が自転を開始する。一方、反対側（後方側）で遊星ギア３４が噛合しているモータ駆動環３０は、カム筒３３よりも回転抵抗が大きく設定され、カム筒３３よりも回転トルクが大きいので回転しない。このため、遊星ギア３４はギア３２上を転動し、自転しながら公転する。遊星ギア３４は、カム筒３３に軸支されているので、この遊星ギア３４の公転により、カム筒３３が回転する。
【００２５】
このカム筒３３の回転により、カム溝３５のカム面が移動筒１２のカムピン２６を押圧するので、移動筒１２は、固定筒１３のガイド溝２１に沿って図４（Ａ）に示す繰込位置と図４（Ｂ）に示す繰出位置との間で光軸方向に移動する。
【００２６】
このように、フォーカスリング１４が撮影者に回転操作された時には、人工スエード４４とカバーバレル１５の内面とが摺接して摩擦抵抗が発生するので回転操作に対して抵抗が加わる。また、板バネ４９に設けられた突起部５０も常にカバーバレルの内面と当接するようにされているので、フォーカスリング１４が回転操作された時には、突起部５０とカバーバレル１５との間に摩擦抵抗が発生して、回転操作に対して抵抗が加わる。
【００２７】
これにより、フォーカスリング１４を回転操作した際に、簡単に軽く回ってしまうことはなく、回転に対して抵抗力が加わるので回転トルクは増加しており、操作感は重くなり、重厚感や高級感が得られる。また、人工スエード４４には、シリコンオイルが塗布されているので、回転操作に対して独特のしっとり感が得られる。この人工スエード４４は、ゴムや板バネよりも耐久性が高いので劣化による摩擦係数の変化が少ないので、回転トルクが長期間に亘って安定する。
【００２８】
次に、レンズ駆動ユニットによって移動筒を光軸方向に移動させる第２の方法について説明を行う。
【００２９】
レンズ駆動ユニットの出力ギア２０は、モータ駆動環３０の後方側に設けられたギア３１に噛合しており、モータからの回転駆動力がこのモータ駆動環３０のギア３１に伝えられ、モータ駆動環３０が回動される。このモータ駆動環３０の前面側に形成されたギア３２は、遊星ギア３４と噛合しているので、遊星ギア３４は自転を開始する。この遊星ギア３４はカム筒３３に自転自在に軸支されており、フォーカスリング１４の回転トルクは、カム筒３３の回転トルクよりも大きいのでフォーカスリング１４は回転せず、遊星ギア３４はフォーカスリング１４のギア４２上を転動し、遊星ギア３４が自転しながら公転を開始する。
【００３０】
この遊星ギア３４の公転により、遊星ギア３４を軸支しているカム筒３３も回動する。これにより、フォーカスリング１４の手動操作の場合と同様に移動筒１２が図４（Ａ）の繰込位置と図４（Ｂ）の繰出位置との間で移動する。
【００３１】
なお、本実施形態においては、フリクション材として、人工スウェードと共に板バネを使用したが、板バネは使用しなくても良い。また、人工スエードにシリコンオイルを含ませたが、これに限るものではなく、他のオイルを含ませても良い。
【００３２】
また、本実施形態においては、固定筒に一体に固定された環状部材であるカバーバレルと摺接するように人工スエードを手動操作環に固着したが、これに限るものではなく、固定筒本体に摺接するように人工スエードを手動操作環に固着しても良い。
【００３３】
さらに、本実施形態においては、手動操作環に人工スエードを固着するように説明したが、これに限るものではなく、固定筒あるいは固定筒に一体に固定された環状部材に、手動操作環と摺接するように人工スエードを固着しても良い。
【００３４】
【発明の効果】
以上説明したように、本発明のフォーカスレンズ鏡筒は、手動操作環であるフォーカスリングにフリクション材として人工スエードを設けて、この人工スエードとカバーバレルとの摩擦力により手動操作環の回転を制御したので、手動操作環の回転トルクが増加しており、回転抵抗も一定に保たれているので、適度な負荷を感じて良好な手動性を味わえることが可能であり、操作時に滑らかで重厚感と高級感が得られる。
【００３５】
また、この人工スエードは、ゴムや板バネよりも耐久性が高いので劣化による摩擦係数の変化が少ないので、回転トルクが長期間に亘って一定に保たれるので品質の劣化が少ない。
【図面の簡単な説明】
【図１】本発明のレンズ鏡筒を実施したフォーカスレンズ鏡筒の外観斜視図である。
【図２】フォーカスレンズ鏡筒の内部構成を示す分解斜視図である。
【図３】フォーカスリングの構成を示す分解斜視図である。
【図４】フォーカスレンズ鏡筒の側面断面図である。
【符号の説明】
１０  レンズ鏡筒
１１，２７  レンズ
１２  移動筒
１３  固定筒
１４  フォーカスリング
１５  カバーバレル
３０  モータ駆動環
３３  カム筒
４１  リング本体
４２  フォーカスリングギア
４４  人工スエード
４８  板バネ
５０  突起部
【図１】
2004212884.tif 000003
【図２】
2004212884.tif 000004
【図３】
2004212884.tif 000005
【図４】
2004212884.tif 000006